(57)【要約】  情報配信装置（１０１）は、配信指定された受信再生装置（１０３）に対して同じ内容の通常情報を常時配信するための設定と、受信再生装置（１０３）のうち特定の受信再生装置（１０３）に対して専用情報を一時的に配信するための設定とをおこなう配信設定部と、配信設定部により設定された通常情報と、専用情報とを配信する配信部と、を備えている。受信再生装置（１０３）は、通常情報と、専用情報とを受信する受信部と、受信部によって受信した専用情報に含まれている当該専用情報の配信設定を示す配信設定情報に応じて通常情報および専用情報の再生を制御する再生制御部と、を備えている。
2007132918.tif 000002
【特許請求の範囲】
【請求項１】
配信指定された受信再生装置に対して同じ内容の通常情報を常時配信するための設定と、前記受信再生装置のうち特定の受信再生装置に対して専用情報を一時的に配信するための設定とをおこなう設定手段と、
前記設定手段により設定された前記通常情報と、前記専用情報とを配信する配信手段と、
を備えることを特徴とする情報配信装置。
【請求項２】
前記専用情報を発信する情報発信元から前記専用情報および当該専用情報の配信の条件を示す配信設定情報を受け付ける受付手段を備え、
前記設定手段は、前記受付手段によって受け付けた前記配信設定情報が示す配信の条件に基づいて前記専用情報の配信の設定をおこなうことを特徴とする請求項１に記載の情報配信装置。
【請求項３】
前記受付手段により、前記専用情報を配信するエリアが指定された配信エリア情報を含む前記配信設定情報を受け付けると、
前記設定手段は、前記配信エリア情報に対応した前記専用情報の配信のエリアを設定することを特徴とする請求項２に記載の情報配信装置。
【請求項４】
前記受付手段により、前記専用情報の受信再生装置における再生の優先度が指定された優先度情報を含む前記配信設定情報を受け付けると、
前記設定手段は、前記優先度情報に対応した前記専用情報の優先度を設定することを特徴とする請求項２に記載の情報配信装置。
【請求項５】
前記受付手段が受け付ける前記配信設定情報は、所定のＩＰ（インターネットプロトコル）に準じて構成されていることを特徴とする請求項２〜４のいずれか一つに記載の情報配信装置。
【請求項６】
情報配信装置から受信再生装置に対して常時配信される通常情報と、前記情報配信装置から特定の受信再生装置に対して一時的に配信される専用情報とを受信する受信手段と、
前記受信手段によって受信した前記専用情報に含まれている当該専用情報の配信設定を示す配信設定情報に応じて前記通常情報および前記専用情報の再生を制御する再生制御手段と、
を備えること特徴とする受信再生装置。
【請求項７】
前記受信手段により、前記配信設定情報として前記専用情報を配信するエリアが指定された配信エリア情報あるいは、受信再生装置における再生の優先度が指定された優先度情報が含まれている専用情報を受信すると、
前記再生制御手段は、前記専用情報の再生を前記配信エリア情報あるいは、前記優先度情報に応じて再生制御することを特徴とする請求項６に記載の受信再生装置。
【請求項８】
前記再生制御手段は、
前記配信設定情報に含まれている優先度情報が、
最優先をあらわす情報である場合には、前記通常情報に替わって前記専用情報を強制的に再生させ、
最優先をあらわす情報以外である場合には、利用者からの再生選択に応じて前記通常情報に替わって前記専用情報を再生させることを特徴とする請求項７に記載の受信再生装置。
【請求項９】
配信指定された受信再生装置に対して同じ内容の通常情報を常時配信するための設定と、前記受信再生装置のうち特定の受信再生装置に対して専用情報を一時的に配信するための設定とをおこなう設定工程と、
前記設定工程により設定された前記通常情報と、前記専用情報とを配信する配信工程と、
を含むことを特徴とする情報配信方法。
【請求項１０】
情報配信装置から受信再生装置に対して常時配信される通常情報と、前記情報配信装置から特定の受信再生装置に対して一時的に配信される専用情報とを受信する受信工程と、
前記受信工程によって受信した前記専用情報に含まれている当該専用情報の配信設定を示す配信設定情報に応じて前記通常情報および前記専用情報を再生させる再生工程と、
を含むことを特徴とする受信再生方法。
【発明の詳細な説明】
【技術分野】
【０００１】
この発明は、指定したエリアへ配信した情報を受信させる情報配信装置、受信再生装置、情報配信方法および受信再生方法に関する。
【背景技術】
【０００２】
従来、災害発生時などに緊急情報を配信するための技術として、制御局から複数の基地局に緊急情報を配信する技術が開示されている。各基地局は、通信エリア内の移動局（携帯電話）に一斉に緊急情報を送信する。移動局は、現在の通信状態にかかわらず強制的に緊急情報を受信し、受信した内容を報知する（たとえば、下記特許文献１参照。）。【０００３】
また、配信センタに接続された表示装置を緊急情報配信時に、緊急情報提供装置として利用する技術が開示されている。この表示装置は、通常時にはあらかじめ設定されたスケジュールに基づいて配信された広告（データ）を受信し、再生する。災害発生時には、広告センタは、特定のエリアに対して緊急情報を配信する。表示装置は、緊急情報を受信すると、再生中の広告に優先して緊急情報を再生させる。もしくは、再生中の広告に緊急情報のデータを割り込ませて再生させる（たとえば、下記特許文献２参照。）。【０００４】
また、市販のポータブルＡＶ装置に通信アダプタ（通信装置）を接続して構成される通信システムでは、通信アダプタが、緊急放送を受信すると、ＡＶ装置により再生中のデータに緊急放送のデータを割り込ませて再生させる技術が開示されている（たとえば、下記特許文献３参照。）。【０００５】
【特許文献１】特開２００１−２５８０７０号公報
【特許文献２】特開２００１−２７４８３０号公報
【特許文献３】特開２００５−３１８０４９号公報
【発明の開示】
【発明が解決しようとする課題】
【０００６】
しかしながら、上述の特許文献１，２では、緊急情報として配信された情報は、受信側装置では強制的に再生されてしまう。特許文献１では、緊急情報を制御する手段として、緊急情報にレベル設定を施し、受信側装置は、あらかじめ指定されたレベル以上の緊急情報のみ受信する機能を備えているが、このような機能の場合、低いレベルの緊急情報が受信されず、利用者が緊急情報の内容を確認して再生を制御することはできないという問題があった。【０００７】
また、上述の特許文献３では、配信された情報の重要度に応じて利用者が受信した情報を再生させるか否かを選択することができるが、配信の際にエリアを指定することができない。したがって、エリアごとに異なる情報を配信した場合には、複数の情報がまとめて配信されてしまう。このような情報を受信した利用者は、複数の情報のなかから自分に必要な情報を抽出しなければない。すなわち、利用者に負担がかかり、なおかつ必要な情報を受信できない可能性があるという問題があった。【０００８】
この発明は、上述した従来技術による問題点を解消するため、特定の受信再生装置への情報配信および受信再生装置において再生選択ができるように配信情報の設定がおこなえる情報配信装置、受信再生装置、情報配信方法および受信再生方法を提供することを目的とする。
【課題を解決するための手段】
【０００９】
上述した課題を解決し、目的を達成するため、請求項１の発明にかかる情報配信装置は、配信指定された受信再生装置に対して同じ内容の通常情報を常時配信するための設定と、前記受信再生装置のうち特定の受信再生装置に対して専用情報を一時的に配信するための設定とをおこなう設定手段と、前記設定手段により設定された前記通常情報と、前記専用情報とを配信する配信手段と、を備えることを特徴とする。【００１０】
この請求項１の発明によれば、通常情報の配信が可能な受信再生装置のなかから、さらに特定の受信再生装置にのみ専用情報を配信することができる。【００１１】
また、請求項６の発明にかかる受信再生装置は、情報配信装置から受信再生装置に対して常時配信される通常情報と、前記情報配信装置から特定の受信再生装置に対して一時的に配信される専用情報とを受信する受信手段と、前記受信手段によって受信した前記専用情報に含まれている当該専用情報の配信設定を示す配信設定情報に応じて前記通常情報および前記専用情報の再生を制御する再生制御手段と、を備えること特徴とする。【００１２】
この請求項６の発明によれば、通常情報を受信するとともに、特定の受信再生装置に指定された場合には、通常情報とともに専用情報を受信し、利用者に適した情報を再生させることができる。【００１３】
また、請求項９の発明にかかる情報配信方法は、配信指定された受信再生装置に対して同じ内容の通常情報を常時配信するための設定と、前記受信再生装置のうち特定の受信再生装置に対して専用情報を一時的に配信するための設定とをおこなう設定工程と、前記設定工程により設定された前記通常情報と、前記専用情報とを配信する配信工程と、を含むことを特徴とする。【００１４】
この請求項９の発明によれば、通常情報を配信可能な受信再生装置のなかから指定した特定の受信再生装置にのみ専用情報を配信させることができる。【００１５】
また、請求項１０に記載の発明にかかる受信再生方法は、情報配信装置から受信再生装置に対して常時配信される通常情報と、前記情報配信装置から特定の受信再生装置に対して一時的に配信される専用情報とを受信する受信工程と、前記受信工程によって受信した前記専用情報に含まれている当該専用情報の配信設定を示す配信設定情報に応じて前記通常情報および前記専用情報を再生させる再生工程と、を含むことを特徴とする。【００１６】
この請求項１０の発明によれば、通常時に通常情報を受信させるとともに、専用情報配信時には、通常情報とともに専用情報を受信し、利用者に適した情報を再生させることができる。
【発明の効果】
【００１７】
本発明にかかる情報配信装置、受信再生装置、情報配信方法および受信再生方法によれば、専用情報に配信設定情報などを用いた配信設定により、特定の受信再生装置への情報配信および受信再生装置において再生選択ができるように配信情報の設定がおこなえるという効果を奏する。
【図面の簡単な説明】
【００１８】
【図１】図１は、この発明の実施の形態にかかる情報配信システムの概要を示す説明図である。
【図２】図２は、この発明の実施の形態にかかる情報配信システムの処理の内容を示すシーケンス図である。
【図３】図３は、情報配信装置の機能的構成を示すブロック図である。
【図４】図４は、情報配信装置の処理の内容を示すシーケンス図である。
【図５】図５は、指定エリアの受信再生装置へ一斉情報配信の手法を示す説明図である。
【図６】図６は、受信再生装置の機能的構成を示すブロック図である。
【図７】図７は、受信再生装置によって受信した情報の再生表示画面の一例を示す説明図である。
【図８】図８は、エリア情報管理テーブルの一例を示す説明図である。
【図９】図９は、エリアＩＤ別のレベル情報管理テーブルの一例を示す説明図である。
【符号の説明】
【００１９】
１０１  情報配信装置
１０２  放送局
１０３  受信再生装置
１０４  情報発信局
３００  受付部
３０１  配信設定部
３０２  アドレス情報格納部
３０３  配信部
６００  受信部
６０１  再生制御部
６０２  再生部
６０３  報知部
６１０  ＡＶ（Ａｕｄｉｏ  Ｖｉｓｕａｌ）装置
【発明を実施するための最良の形態】
【００２０】
以下に添付図面を参照して、この発明にかかる情報配信装置、受信再生装置、情報配信方法および受信再生方法の好適な実施の形態を詳細に説明する。【００２１】
（情報配信システムの概要）
まず、この発明の実施の形態にかかる情報配信システムの概要について説明する。図１は、この発明の実施の形態にかかる情報配信システムの概要を示す説明図である。この発明の実施の形態にかかる情報配信システムは、情報配信装置１０１と、放送局１０２と、受信再生装置１０３と、情報発信局１０４とによって構成される。【００２２】
通常、情報配信装置１０１は、放送局１０２によって配信が可能なエリアに位置するすべての受信再生装置１０３に同じ内容の通常情報を配信している。通常情報とは、たとえば、全エリア向けのニュースや、スポーツまたはドラマなどの放送番組である。また、通常情報は、１種類に限らず、チャンネルごとに異なる情報が同時に配信されることもある。【００２３】
本実施の形態では上述したような、情報配信装置１０１による通常情報の配信に加えて、特定の受信再生装置１０３のみに専用情報を配信することができる。ここでは、一例として、情報発信局１０４が発信した専用情報を特定の受信再生装置１０３へ配信する場合について説明する。【００２４】
情報発信局１０４は、情報配信装置１０１への接続が可能な情報発信機関である。情報発信局１０４は、所定のフォーマットに準じて情報を発信する機器を備えていれば特段の制限はなく、公共の機関であっても、民間の機関であってもよいし、さらには個人であってもよい。【００２５】
情報発信局１０４からは、情報配信装置１０１へ発信情報が送信される。発信情報とは、受信再生装置１０３において再生させることを目的とした専用情報であり、具体的には、たとえば、放送番組のような音声データや映像データなどによって構成された情報である。【００２６】
また、発信情報は、専用情報の内容に応じて優先度をあらわすレベル分けがなされており、このレベル分けを示すレベル情報が含まれている。本実施の形態においてレベルは、発信情報の再生条件によって２種類に分別される。具体的には、発信情報を配信先の受信再生装置１０３によって強制的に再生させるレベル１と、利用者の選択に応じて再生させるレベル２からなる。【００２７】
レベル１の発信情報は、具体的には、たとえば、地震や、大規模な事故、火災が発生した場合のエリアごとの災害情報が挙げられる。また、情報発信局１０４が教育機関である場合は、学区ごとの生徒を対象とした臨時休校や、始業時間の変更を知らせる連絡情報などをレベル１の発信情報としてもよい。このようなレベル１の発信情報は、あらかじめ指定された情報発信局１０４のみが発信できるように設定してもよい。【００２８】
レベル２の発信情報は、上述したレベル１の発信情報以外のすべての発信情報が該当する。具体的には、たとえば、所定の店舗の購買エリア内の居住者への広告情報や、地方自治体ごとのローカルな内容によって構成される放送番組の情報などが挙げられるが、特段の制限はなく、どのような情報もレベル２の発信情報として用いることができる。【００２９】
また、情報発信局１０４は、指定したエリア内に位置する受信再生装置１０３へ情報を発信するため、情報配信装置１０１へ受信再生装置１０３の配信設定情報としてアドレス情報を送信する。このアドレス情報とは、具体的には、たとえば、エリア情報に応じて設定されたマルチキャストアドレス（以下、「ＭＣアドレス」という）を用いてもよい。なお、ＭＣアドレスについては詳しく後述する。【００３０】
また、情報発信局１０４は、１つの情報発信局１０４から複数の発信者が情報を発信してもよいし、複数の情報発信局１０４が存在し、各局から異なる発信者がそれぞれ情報配信装置１０１に発信情報を発信してもよい。なお、発信者は、情報発信局１０４と同様に所定のフォーマットに準じて情報を発信する機能を有していれば特に制限はなく、官公庁、教育機関、企業、商店さらには個人であってもよい。【００３１】
情報配信装置１０１は、情報発信局１０４から発信情報を取得する。情報配信装置１０１が取得した発信情報は、専用情報として放送局１０２を介して受信再生装置１０３に配信される。【００３２】
また、情報配信装置１０１は、情報発信局１０４から取得したアドレス情報（たとえばＭＣアドレス）に該当する受信再生装置１０３にマルチキャストによって情報を配信する。アドレス情報は、配信したい受信再生装置１０３が一定であれば、あらかじめ取得しておいたアドレス情報を、発信情報を取得するたびに呼び出して利用してもよい。また、発信情報ごとに配信する受信再生装置１０３のアドレス情報が異なる場合は、発信情報とともに毎回アドレス情報を取得してもよい。【００３３】
なお、本実施の形態では、情報配信装置１０１が特定の受信再生装置１０３へ専用情報を配信する手法として、上述のように情報発信局１０４からアドレス情報を取得しているが、他の手法を用いてもよい。【００３４】
たとえば、情報発信局１０４からの情報配信装置１０１へ接続する際の回線接続番号により、どこのエリアに配信するかの設定および情報のレベル分け設定などをおこなってもよい。このような場合には、情報配信装置１０１には、あらかじめ回線接続番号に対応したエリア情報やレベル情報が格納されており、情報発信局１０４の回線接続番号に応じて逐次、エリア情報やレベル情報が読み出される。すなわち、回線接続番号が配信設定情報として機能することとなる。【００３５】
このように、専用情報を特定の受信再生装置１０３へ配信する手法は様々であるが、本実施の形態では、情報発信局１０４からアドレス情報を取得する手法を用いた場合として以下、説明をおこなう。【００３６】
放送局１０２は、情報配信装置１０１から出力された専用情報を指定したエリア内の受信再生装置１０３へ配信する。専用情報の配信は、具体的には、たとえば、地上デジタル放送網を用いたマルチキャストが挙げられる。また、地上デジタル放送網以外の他の放送網や、通信網を用いて専用情報を配信してもよいし、複数のユニキャストを同時におこない、マルチキャストと同等の配信をおこなってもよい。【００３７】
受信再生装置１０３は、放送局１０２を介して情報配信装置１０１から配信された専用情報を受信する。上述したように、情報配信装置１０１からは、通常情報が配信されており、通常時は、通常情報のみを受信し、利用者の操作に応じて再生される。そして、情報発信局１０４が発信情報を発信し、自装置が特定の受信再生装置１０３に該当する場合には、専用情報もあわせて受信する。本実施の形態では、一例として、指定したエリア内に位置する受信再生装置１０３であれば、情報配信装置１０１から専用情報が配信されてくるように設定する。【００３８】
また、受信再生装置１０３は、受信した通常情報および専用情報を再生させることができる。通常情報は通常のテレビ放送やラジオ放送を受信した場合と同様に自由に再生させることができる。したがって、複数の通常情報を受信している場合は、チャンネルを変更することにより、複数の通常情報のうち、任意の通常情報を再生させることができる。【００３９】
一方、専用情報は、レベル情報に応じて再生が制御される。具体的には、上述したように、レベル１の強制的な再生、もしくはレベル２の選択的な再生とのいずれかがおこなわれる。強制的に再生される場合は、通常情報が再生されている場合であっても専用情報が優先して再生される。【００４０】
また、選択的に再生がおこなわれる場合は、通常情報を再生するとともに、表示画面などによって専用情報を受信している旨を報知し、専用情報は、利用者に再生選択された場合にのみ再生される。専用情報を受信している旨を報知する際には、受信中の専用情報の名称や、情報発信局１０４などの概要が表示されてもよい。また、受信再生装置１０３に記録部を設けて専用情報を再生しないと選択した場合に、専用情報を記録して後ほど再生させてもよい。【００４１】
（情報配信システムの処理の内容）
つぎに、この発明の実施の形態にかかる情報配信システムの処理の内容について説明する。ここでは、上述した各装置によって情報配信をおこなう際の処理の内容について説明する。図２は、この発明の実施の形態にかかる情報配信システムの処理の内容を示すシーケンス図である。図２のシーケンス図において、まず、情報発信局１０４は、専用情報を発信するために、情報配信装置１０１への接続を開始する（ステップＳ２０１）。【００４２】
上述のステップＳ２０１の接続の手法として、たとえば、情報発信局１０４と、情報配信装置１０１とをインターネット電話の通話制御用プロトコルであるＳＩＰ（Ｓｅｓｓｉｏｎ  Ｉｎｉｔｉａｔｉｏｎ  Ｐｒｏｔｏｃｏｌ）を用いて接続してもよい。このような場合、情報発信局１０４から情報配信装置１０１へ電話をかけることによって接続が開始される。【００４３】
また、受信再生装置１０３は、情報配信装置１０１から配信された通常情報および専用情報を受信可能なエリア内に入ったと判断した時点で自動的にＪｏｉｎする（ステップＳ２０２）。Ｊｏｉｎとは、常時、情報配信装置１０１から配信される通常情報および専用情報が受信可能な状態に設定する処理である。上述したように、情報配信装置１０１からは、常時、通常情報が配信されており、受信再生装置１０３は、Ｊｏｉｎすることにより、専用情報が配信されていない場合であっても通常情報の受信および再生は常時おこなうことができる。【００４４】
一方、情報配信装置１０１は、情報発信局１０４からの接続を検出すると、特定の受信再生装置１０３に専用情報を配信するための設定をおこなう。具体的には、情報発信局１０４から配信設定に関する配信設定情報を受け付ける。さらに、この配信設定情報を参照して特定の受信再生装置１０３に専用情報の配信開始を知らせる配信開始通知を生成する（ステップＳ２０３）。なお、配信設定情報とは、具体的な配信の条件の設定をあらわす情報である。配信の条件とは、たとえば、配信エリアに関する情報や、専用情報の受信再生装置１０３における優先度をあらわすレベル情報などである。情報配信装置１０１は、生成した配信開始通知を再生制御情報として特定の受信再生装置１０３に配信する（ステップＳ２０４）。【００４５】
つぎに、情報発信局１０４は、受信再生装置１０３へ配信する発信情報を情報配信装置１０１に発信する（ステップＳ２０５）。情報配信装置１０１は、情報発信局１０４から発信情報を受け付け（ステップＳ２０６）、受け付けた発信情報を専用情報として特定の受信再生装置１０３へ配信する（ステップＳ２０７）。ステップＳ２０２で説明したように、受信再生装置１０３は、すでにＪｏｉｎしている状態であるため、情報配信装置１０１から配信された専用情報を自動的に受信する。【００４６】
そして、情報発信局１０４は、専用情報の発信が終了すると、情報配信装置１０１への接続を終了する（ステップＳ２０８）。情報配信装置１０１は、情報発信局１０４の接続の終了を検出すると、受信再生装置１０３へ専用情報の配信終了を知らせるため、配信終了通知を生成し（ステップＳ２０９）、生成した配信終了通知を再生制御情報として配信する（ステップＳ２１０）。【００４７】
受信再生装置１０３は、情報配信装置１０１から配信された再生制御情報を受信することにより、専用情報の配信が終了したと判断し、専用情報の受信、再生を終了する処理をおこなう。なお、情報配信装置１０１からは通常情報が配信されているため、受信再生装置１０３は、専用情報の配信が終了した後も引き続きＪｏｉｎしていれば通常情報を受信し、再生させることができる。【００４８】
本実施の形態にかかる情報配信システムは、以上説明した構成および処理によって実現される。なお、上述した内容は、ＳＩＰを用いた場合の処理であって、本実施の形態は、上述のような内容に限られず、専用情報と再生成制御情報とが一体化したデータ形式であってもよい。以下、引き続き配信の際に専用情報と、再生制御情報とを用いる場合の各装置の詳細な構成や、具体的な配信の手法の一例を説明する。【００４９】
（情報配信装置の機能的構成）
つぎに、情報配信装置の機能的構成について説明する。図３は、情報配信装置の機能的構成を示すブロック図である。図３に示したように、情報配信装置１０１は、受付部３００と、配信設定部３０１と、アドレス情報格納部３０２と、配信部３０３と、を含んで構成される。【００５０】
受付部３００は、情報発信局１０４から発信された発信情報を専用情報として受け付ける。また、受付部３００は、発信情報を専用情報として受け付けるとともに情報発信局１０４から配信設定情報を受け付ける。受付部３００は、配信設定情報に含まれているエリア情報に応じて、受け付けた情報を配信設定部３０１へ振り分けられる。【００５１】
なお、配信設定情報は、上述したように配信の条件のとなる配信エリア情報や、優先度の表すレベル情報を含んで構成されている。配信設定情報の受け付けは、情報発信局１０４が接続をおこなった際におこなってもよいし、専用情報を構成するパケットのヘッダに格納しておき、専用情報の受け付けと同時に受け付けるようにしてもよい。【００５２】
また、情報配信システムの概要の説明の際に記述したように配信設定情報は、情報発信局１０４から情報配信装置１０１への回線接続番号によって構成され、具体的なエリア情報およびレベル情報の内容に相当する情報は、アドレス情報格納部３０２に格納し、配信設定情報に応じて読み出すような構成でもよい。【００５３】
配信設定部３０１は、専用情報を特定の受信再生装置１０３へ配信するための設定処理をおこなう。具体的には、再生制御情報の生成、配信先のアドレス設定などがある。再生制御情報とは、実際に専用情報を配信する前に、配信先となる特定の受信再生装置１０３に配信開始と配信終了とを通知する情報である。【００５４】
アドレス情報格納部３０２は、情報発信局１０４からの発信情報の配信先として指定されているエリア情報に対応したＭＣアドレスが格納されている。アドレス情報格納部３０２に格納されているＭＣアドレスは、配信設定部３０１によって配信設定をおこなう際に配信設定情報に含まれているエリア情報に応じて呼び出される。【００５５】
ここで、ＭＣアドレスについて説明する。ＭＣアドレスとは、マルチキャスト配信の際に、配信されるパケットの宛先アドレスである。たとえば、ＴＣＰ／ＩＰネットワークでは、クラスＤ（２２４．０．０．０〜２３９．２５５．２５５．２５５）というアドレスがマルチキャストアドレスとして予約されている。これらのアドレスに対してマルチキャストをおこなうと、あらかじめマルチキャストの受信準備のできているノード（本実施の形態の受信再生装置１０３に相当）に対する一斉送信となる。リアルタイムのビデオや音声配信アプリケーションなどで利用されている。【００５６】
本実施の形態では、特に受信再生装置１０３が位置するエリアに応じて配信ができるようなアドレスの設定をおこなう。具体的には、たとえば、ＭＣアドレスを構成するパケットに配信先となるエリアの経度、緯度情報を格納することにより、受信再生装置１０３の緯度、経度情報と比較して特定の受信再生装置であるか否かを判断する。【００５７】
配信部３０３は、配信設定部３０１から入力された専用情報と、当該専用情報の再生制御情報とを、特定された受信再生装置１０３へ配信する。また、専用情報とは別に、通常情報を取得し、受信再生装置１０３に配信する。なお、通常情報を取得するための手法には特に指定はなく、どのような情報を通常情報として配信してもよい。【００５８】
（情報配信装置の処理の内容）
つぎに、上述したような構成からなる情報配信装置１０１の処理の内容について説明する。図４は、情報配信装置の処理の内容を示すシーケンス図である。図４のシーケンス図は、情報発信局１０４から発信された発信情報を専用情報として受信再生装置１０３へ配信するために上述したＳＩＰを用いた場合の具体的な情報配信装置１０１の処理を示している。【００５９】
まず、情報発信局１０４は、情報配信装置１０１へ接続するため、電話の発信に相当するＩＮＶＩＴＥを送信する（ステップＳ４０１）。ステップＳ４０１によるＩＮＶＩＴＥは、情報配信装置１０１の配信設定部３０１によって受信され、配信設定部３０１からは、情報発信局１０４へＩＮＶＩＴＥを受信したことをあらわすＩＮＶＩＴＥ応答を返信する（ステップＳ４０２）。【００６０】
つぎに、配信設定部３０１は、情報発信局１０４のＩＮＶＩＴＥに応じたＭＣアドレスをアドレス情報格納部３０２から取得する（ステップＳ４０３）。さらに、配信設定部３０１は、受信再生装置１０３に専用情報の配信開始を通知する配信開始通知を生成し、再生制御情報として、ステップＳ４０３で取得したＭＣアドレスとともに配信部３０３へ渡す（ステップＳ４０４）。配信部３０３は、配信設定部３０１から配信開始通知とＭＣアドレスを受け取ると、ＭＣアドレスに相当する受信再生装置１０３に宛てて配信開始通知を配信する（ステップＳ４０５）。【００６１】
続いて、情報発信局１０４からは、受信再生装置１０３に配信したいエリア向け発信情報が発信される（ステップＳ４０６）。情報配信装置１０１の配信設定部３０１は、エリア向け発信情報を受信すると、配信用の専用情報としてステップＳ４０３で取得したＭＣアドレスとともに配信部３０３へ渡す（ステップＳ４０７）。配信部３０３は、受け付けた専用情報を受信再生装置１０３へ配信する（ステップＳ４０８）。【００６２】
発信情報の発信が終了すると、情報発信局１０４は、情報配信装置１０１へ接続を終了するため、電話の通話終了に相当するＢＹＥをおこなう（ステップＳ４０９）。情報配信装置１０１の配信設定部３０１は、情報発信局１０４からのＢＹＥを受信すると、情報発信局１０４へＢＹＥを受信したことをあらわすＢＹＥ応答を返信し（ステップＳ４１０）、情報発信局１０４は、ＢＹＥ応答の受信により一連の処理を終了する。【００６３】
一方、情報配信装置１０１は、ＢＹＥを受信すると配信設定部３０１によって配信終了通知を生成し、ステップＳ４０３で取得したＭＣアドレスとともに配信部３０３に渡す（ステップＳ４１１）。配信部３０３は、配信終了通知を受け取ると、ＭＣアドレス相当する受信再生装置１０３に宛てて配信終了通知を配信し（ステップＳ４１２）、一連の処理を終了する。【００６４】
（指定エリアの受信再生装置へ一斉情報配信の手法）
つぎに、指定エリアの受信再生装置へ一斉情報配信の手法の一例について説明する。図５は、指定エリアの受信再生装置へ一斉情報配信の手法を示す説明図である。ここでは、一例として音声や映像をストリーミング再生するための伝送プロトコルとしてＲＴＰ（Ｒｅａｌ−ｔｉｍｅ  Ｔｒａｎｓｐｏｒｔ  Ｐｒｏｔｏｃｏｌ）を用い、音声放送を専用情報として配信した場合について説明する。【００６５】
情報配信装置１０１は、専用情報として音声放送をおこなう場合には、まず、音声放送開始を通知するＲＴＣＰ（ＲＴＰ  Ｃｏｎｔｒｏｌ  Ｐｒｏｔｏｃｏｌ）  Ａｐｐパケット５００を受信再生装置１０３に配信する。ＲＴＣＰとは、ＲＴＰと組み合わせて使う、データのフロー（送受信）制御および送信者と受信者の情報を記述するためのプロトコルである。なお、Ａｐｐパケットとは特にアプリケーション定義パケットを意味する。【００６６】
情報配信装置１０１から配信されたＲＴＣＰ  Ａｐｐパケット５００は、あらかじめ音声放送を受信するためのＭＣアドレスグループにＪｏｉｎ済みの受信再生装置１０３によって受信される。【００６７】
続いて、情報配信装置１０１からは、実際の音声放送に相当する情報をＲＴＰ５０１によって音声ストリーミングとして配信する。上述したように、すでにＪｏｉｎ済みの受信再生装置１０３は、ＲＴＰ５０１を受信し、ＲＴＰ５０１のレベル情報に応じて音声放送を再生する。【００６８】
具体的には、ＲＴＰ５０１がレベル１の専用情報の場合は、再生中の番組（通常情報）の停止、メッセージ表示、音声強制再生などをおこなう。また、ＲＴＰ５０１がレベル２の専用情報の場合は、メッセージ表示、利用者からのＯＫがでれば再生中番組（通常情報）の停止および音声再生などをおこなう。【００６９】
最後に、情報配信装置１０１は、音声放送終了を通知するＲＴＣＰ  Ａｐｐパケット５０２を受信再生装置１０３に配信する。受信再生装置１０３は、ＲＴＣＰ  Ａｐｐパケット５０２を受信すると、通常情報の再開や、メッセージの消去をおこなう。【００７０】
（受信再生装置の機能的構成）
つぎに、受信再生装置の機能的構成について説明する。図６は、受信再生装置の機能的構成を示すブロック図である。図６のように、受信再生装置１０３は、受信部６００と、再生制御部６０１と、再生部６０２と、報知部６０３と、を含んで構成されている。また、受信再生装置１０３は、ＡＶ（Ａｕｄｉｏ  Ｖｉｓｕａｌ）装置６１０に接続されている。【００７１】
受信部６００は、放送局１０２を介して情報配信装置１０１から配信された通常情報、専用情報および再生制御情報を受信する。また、受信部６００は、情報配信装置１０１から配信された専用情報を受信することにより、専用情報に含まれている配信設定情報もあわせて受信する。【００７２】
通常情報を受信した場合は、そのまま通常情報を再生部６０２に出力する。一方、専用情報および再生制御情報の場合は、配信設定情報に格納されたＭＣアドレスがあらわすエリアの情報（たとえば、経度、緯度情報）情報に応じて受信がおこなわれる。たとえば、自装置の現在位置がＭＣアドレスによって指定されているエリアと一致していれば、受信するが、一致していなければ専用情報および再生制御情報は破棄されるように設定してもよい。また、受信された専用情報は、通常情報にと同様に再生部６０２に出力され、再生制御情報は再生制御部６０１に出力される。【００７３】
再生制御部６０１は、入力された再生制御情報に応じて再生部６０２における通常情報と専用情報との再生を制御する。通用時、受信再生装置１０３は、通常情報を受信しており、再生部６０２は、自動的に通常情報を再生する。したがって、再生制御部６０１は、基本的には再生制御情報の開始通知に応じて、通常情報に替わって専用情報の再生を開始させる。同様に、終了通知に応じて、専用情報の再生を終了させ、再び、通常情報を再生させるように制御する。また、再生制御部６０１は、専用情報の配信設定情報のレベル情報に応じて強制的に再生させる場合と、選択的に再生させる場合とに区別して制御される。【００７４】
また、再生制御部６０１にはイベントの発生に応じてイベント情報が入力される。イベント情報とは、たとえば、受信再生装置１０３の起動をあらわす情報（起動イベント情報）、現在位置の変更をあらわす情報（エリア移動イベント情報）などである。これらのイベント情報や、再生制御情報は、再生制御部６０１によって再生制御をおこなう際のトリガとなる。【００７５】
また、再生制御部６０１は、上述のようなイベント情報としてエリア移動イベント情報が入力された場合は、現在位置に応じて受信再生装置１０３のＪｏｉｎとＬｅａｖｅ（Ｊｏｉｎ状態から離れること）を制御することもできる。【００７６】
再生部６０２は、受信部６００から入力された情報を再生し、再生した情報をＡＶ装置６１０へ出力する。ここで、通常情報が入力された場合は、一意的に再生され、ＡＶ装置６１０へ出力される。一方、専用情報が入力された場合は、再生制御部６０１からの再生制御に応じて専用情報が再生され、ＡＶ装置６１０へ出力される。専用情報が再生されている時には通常情報は表示されないため、再生制御部６０１は、専用情報の配信中には通常情報も再生しないように制御していることとなる。【００７７】
報知部６０３は、再生制御部６０１から専用情報の再生制御に関する情報が入力されると、入力内容を利用者に報知するため、表示用のデータを生成し、ＡＶ装置６１０に出力する。再生制御に関する情報とは、現在受信している専用情報のレベル情報と再生状態とを含んだ情報である。具体的には、レベル１の専用情報を強制再生させている状態であるか、レベル２の専用情報が再生選択されたので再生させている状態であるか、レベル２の専用情報が再生選択されなかったので再生させず、通常情報を再生させている状態なのか、などの各状態をあらわす報知がおこなわれる。【００７８】
また、ＡＶ装置６１０は、たとえば、ディスプレイとスピーカとを備えた構成からなり、再生部６０２から入力された通常情報または専用情報を出力する。ここで、ＡＶ装置６１０による出力の一例を、図７を用いて説明する。【００７９】
図７は、受信再生装置によって受信した情報の再生表示画面の一例を示す説明図である。図７に示した表示画面７００は、受信再生装置によって受信した通常情報をＡＶ装置６１０のディスプレイに表示させた場合の再生表示画面の一例である。表示画面７００は、番組表示枠７０１と、レベル表示枠７０２との２つの表示画面を備えている。また、表示画面７００には、番組表示枠７０１の表示内容を制御する設定ボタン群７０３が備えられている。【００８０】
番組表示枠７０１には、通常時には通常情報が表示され、専用情報が配信されている場合には、レベル１の専用情報であれば専用情報が表示され、レベル２の専用情報であれば通常情報と専用情報のうち再生選択された情報が表示される。【００８１】
レベル表示枠７０２には、専用情報が配信されている場合、自装置が受信した専用情報のレベル情報が表示される。したがって、通常情報のみが配信されている場合には、利用されないため、専用情報を受信した場合にのみ表示されるように設定してもよい。【００８２】
また、受信したレベル２の専用情報として音声放送が配信されている場合には、設定ボタン群７０３の音声放送再生許可ボタン７０４によって再生選択をおこない、通用情報に替わりに専用情報を再生させるように制御する。【００８３】
（受信再生装置の受信設定の手法）
つぎに、上述したような受信再生装置１０３における専用情報の受信設定について説明する。ここでは、一例として各受信再生装置１０３は、情報配信装置１０１から受信対象となる専用情報に関する情報をあらわすデータテーブルを取得しておく。データテーブルとは、以下に示す図８，９の様な情報によって構成されている。【００８４】
まず、エリア情報に関するデータテーブルについて説明する。図８は、エリア情報管理テーブルの一例を示す説明図である。図８のように情報発信局１０４によって指定されたエリア情報（経度、緯度情報および半径情報）ごとにエリアＩＤを指定してもよい。【００８５】
具体的には、たとえば、データ８０１のエリアＩＤ：１は、エリア名「山」、経度「１３５．４７．２０．Ｅ］、緯度「３４．５７．４５．Ｎ」、半径（ｋｍ）「２０」と設定する。同様に、データ８０２のエリアＩＤ：２は、エリア名「海」、経度「１３６．５０．３３．Ｅ］、緯度「３５．１２．２５．Ｎ」、半径（ｋｍ）「３５」と設定する。【００８６】
上述のようなエリアＩＤを設定した場合には、配信設定情報のエリア情報も経度、緯度情報に替わって１または２のエリアＩＤを用いればよい。【００８７】
つぎに、エリアＩＤごとのレベル情報をあらわすデータテーブルについて説明する。図９は、エリアＩＤ別のレベル情報管理テーブルの一例を示す説明図である。図９のようにエリアＩＤと、情報発信局１０４によって指定されたレベル情報（レベル１，２）ごとに対応させて管理してもよい。【００８８】
具体的には、たとえば、データ９０１〜データ９０３はエリアＩＤ：１に設定されており、データ９０４〜データ９０６はエリアＩＤ：２に設定されている。さらに、各データ９０１〜データ９０６は、レベル、放送種別、ポート番号、放送ＭＣアドレスなどによって構成される。放送種別とは、たとえば０：緊急放送、１：ＣＭ放送、２：公共一般放送と設定される。【００８９】
受信再生装置１０３は、上述したような設定を利用することにより、配信設定情報の構成を簡易にすることができ、情報発信局１０４は、簡単に配信したいエリアや、専用情報のレベルなどを設定することができる。【００９０】
このように、専用情報は詳細なエリア指定が可能であり、情報配信装置１０１は、任意のエリアに専用情報を配信することができる。また、専用情報に優先度をあらわすレベル情報を含めることで、受信再生装置１０３は、レベルに応じた再生制御をおこなうことができる。すなわち、受信再生装置１０３の利用者は、災害情報などの緊急情報をのぞいて、必要な情報のみを再生させることができる。【００９１】
以上説明したように、本発明にかかる、受信再生装置、情報配信方法および受信再生方法によれば、配信設定情報を用いて配信設定をおこなう。したがって、エリア情報を用いることによりで特定の受信再生装置へ専用情報を配信することができる。また、レベル情報を用いることにより特定のレベル以外の専用情報であれば、受信再生装置において受信した専用情報を利用者によって再生選択することができる。【００９２】
なお、本実施の形態で説明した情報配信方法および受信再生方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【産業上の利用可能性】
【００９３】
以上のように、本発明にかかる情報配信装置、受信再生装置、情報配信方法および受信再生方法は、一斉配信が可能な情報配信システムに有用であり、特に、地上デジタル放送網を用いた配信に適している。
【図１】
2007132918.tif 000003
【図２】
2007132918.tif 000004
【図３】
2007132918.tif 000005
【図４】
2007132918.tif 000006
【図５】
2007132918.tif 000007
【図６】
2007132918.tif 000008
【図７】
2007132918.tif 000009
【図８】
2007132918.tif 000010
【図９】
2007132918.tif 000011
【国際調査報告】
2007132918.tif 000012
2007132918.tif 000013
2007132918.tif 000014
2007132918.tif 000015